(57)【要約】【課題】  視聴者が受信中の番組に容易に参加できることを可能とする双方向番組放送システムのアーカイブ方式を提供する。【解決手段】  視聴者参加型番組を視聴者が容易に作成し、また容易に番組に参加でき、さらに番組を分散して記録し、視聴者の好みに応じ変更して視聴できる視聴者参加型番組放送システムのアーカイブ方式であり、例えば、世界中の公共の遊戯施設に視聴者参加型通信端末装置を設置することにより、異国間の人々が容易に番組を作成し、お互いに番組放送を行い、分散して記録することが可能となる。【選択図】図１ 
2005286409.tif 000002
【特許請求の範囲】
【請求項１】
双方向の通信網に各視聴者が通信端末装置を接続し、該通信端末装置のディスプレイ上に自らの映像に加えて他の視聴者の映像や音響信号を互いに多画面で視聴できる音声映像伝送システムを用いて視聴者映像参加型番組を放送する場合において；
ネットワーク上に分散された参加者の映像や放送に使用する素材を番組進行表により選択し受信すると共に、視聴者参加型番組通信装置に分散して記録することで、視聴者が容易に番組を作成・参加でき、かつ再放送時に記録された番組を視聴者の好みの応じて容易に変更できることを特徴とするアーカイブ方式。
【請求項２】
請求項１記載の視聴者参加型番組の再放送において、分散して記録された番組素材を、番組進行表を用いて、それぞれに最適な該視聴者参加型通信装置より受信することで、視聴者の希望に応じた個別の番組を受信できると共に、大量の個別の番組素材へのリクエストが発生した場合に、そのリクエストを、前もって複製した素材を記録している他の視聴者参加型番組通信装置へ分散することで、負荷の集中を避けることができることを特徴とするアーカイブ方式。
【請求項３】
請求項１記載の視聴者参加型番組の視聴の際に番組進行表を用いて、分散された素材を受信すると共に、その複製を作成することで、視聴者の増加に応じて、素材の複製が増加し、素材の収集が容易になるとともに、素材の複製に対して素材の保存期限を設置し、保存期限が過ぎた複製を自動消去することで、視聴頻度に応じた素材の複製数を最適に保つことができることを特徴とするアーカイブ方式。
【請求項４】
請求項１〜３を実施するソフトウェアプログラムを備え、且つディスプレイ、スピーカ、マイクロホン、ビデオカメラ、ネットワーク接続インターフェース、メモリ、記憶装置、演算装置とから成り、ネットワーク上で、複数台で動作することにより、視聴した参加型番組放送の番組素材を分散記録できる通信端末装置。
【請求項５】
請求項１〜３を実施するソフトウェアプログラムおよび視聴者参加型番組の素材インデックス情報や番組進行表のデータベースを備え、且つネットワーク接続インターフェース、メモリ、記憶装置、演算装置とから成る情報管理サーバ。
【発明の詳細な説明】
【技術分野】
【０００１】
この発明は、視聴者が番組を作成発信可能な双方向放送システムに関し、さらに詳しくは、番組の発信者が容易に番組の構成を変更可能であり、また、視聴者が受信中の番組に容易に参加できることを可能とする双方向番組放送システムのアーカイブ方式に関する。
【背景技術】
【０００２】
ＴＶ番組には、クイズ番組やカラオケ大会番組など視聴者が参加する番組が知られている。これらの番組の視聴者には、視聴するのみでなく参加者として番組に出演したい要望があり、これらの番組はその要望に応えることで成り立っている。さらには、同じ趣味や興味を有する視聴者間で独自の番組を作成・放送し、参加したいとの要望も多い。
【０００３】
しかし視聴者がこれらの番組に参加するためには、放送局や番組中継会場に出向く必要があり、番組視聴において、気軽に参加することができない問題点があった。この問題を解決するため後述の特許文献１では、視聴者の受信機にカメラおよびマイクを置き、視聴者の映像音声を放送局に送信し、その音声映像を用いて視聴者参加型番組を作成するシステムが出願されている。このシステムでは、番組の進行に応じて司会者が参加する視聴者の状況に対応して、適宜番組進行内容を変えることで、違和感の無い視聴者参加型番組の作成を行うことが可能である。
【０００４】
また放送後において、視聴者参加型番組放送後に再放送を行うために、番組放送中に番組をビデオテープやＤＶＤなどの記憶媒体に記録することも考えられるが、視聴者参加型番組では番組の進行が予定通りでないことが多く、記録後に修正を必要とする場合において、容易に修正や編集ができない問題があった。さらに、視聴者の要望にて、記録された番組をダイジェスト番組として見たいなどの要望に答えるためには、従来の番組記録方式では困難であった。  
【０００５】
この問題点を解決する手段として、例えば、
【特許文献１】特開２００２−３６９１７５、
【特許文献２】特開２００１−１６９２６８が挙げられる。
【０００６】
【特許文献１】特開２００２−３６９１７５に記載された発明は、視聴者映像参加型番組作成システムであり、受信機において映像・音声符号化部を備え、接続するカメラ／マイク７より取り込まれる視聴者の映像・音声を符号化し、双方向通信制御部６を介して放送局側へ送信すると共に、放送局側では、視聴者映像受付部１０にて視聴者から送信される映像・音声符号化データを復号し、放送番組の送出映像・音声を司る調整室１２へ送り、スタジオ映像・音声等と視聴者映像・音声が合成できるようにしたものである。
【０００７】
【特許文献２】特開２００１−１６９２６８に記載された発明は、番組を番組本体の素材と補助素材に分けてサーバに記録し、ユーザーの意思によりカスタマイズされた番組として提供することにより視聴者の好みに応じて番組構成を変更できる番組放送システムが出願されている。
【発明の開示】
【発明が解決しようとする課題】
【０００８】
しかしながら、特許文献１の方式による視聴者参加型番組の作成のためには、放送局側に専用の装置が必要となり、視聴者が独自に番組を作成・放送することは困難であった。
【０００９】
また視聴者参加型番組の放送を記録し後ほど再生する手段として、特許文献２の方法を用いた場合は、番組の放送後に番組に使用したそれぞれの素材を分割し、番組の構成に応じた素材構成（プロファイル）を準備することが必要であり、これらの作業なしに容易に視聴者の要望に応じてカスタマイズできる番組を作成し、放送できるシステムは存在しない現状である。
【００１０】
さらに特許文献２の方式では、それぞれの視聴者の好みに応じた番組を作成する際に、視聴者数に応じた番組の作成が必要となり、各利用者からの番組受信要求の負荷が、放送局側に集中するため、要求に応えられない状態が発生する問題がある。
【００１１】
この発明では、以上の問題を解決し、視聴者参加型番組を視聴者が容易に作成し、また容易に番組に参加でき、さらに記録された番組を視聴者の好みに応じて変更して視聴できる視聴者参加型番組放送システムのアーカイブ方式を提供することを目的とする。
【課題を解決するための手段】
【００１２】
この発明は、前述の課題を解決するものであり、その第１要旨は、視聴者参加型番組の放送時において、ネットワーク上に分散された参加者の映像や放送に使用する素材を番組進行表により選択して受信すると共に、視聴者参加型番組通信装置に分散して記録することで、視聴者が容易に番組を作成・参加でき、かつ再放送時に記録された番組を視聴者の好みに応じて容易に変更できることを特徴とするものである。
【００１３】
その第２要旨は、番組の再放送において、分散された番組素材を番組進行表を用いて、それぞれに最適な場所より受信することで、視聴者の希望に応じた個別の番組を受信できると共に、大量の個別の番組素材へのリクエストが発生した場合に、そのリクエストを、前もって複製した素材を記録している視聴者参加型番組通信装置へ分散することで、負荷の集中を避けることができることを特徴とする。
【００１４】
その第３要旨は、番組の視聴の際に番組進行表を用いて分散された素材を受信すると共に、その複製を作成することで、視聴者の増加に応じて、素材の複製が増加し、素材の収集が容易になるとともに、素材の複製に対して素材の保存期限を設置し、保存期限が過ぎた複製を自動消去することで、視聴頻度に応じた素材の複製数を最適に保つことができることを特徴とする。
【００１５】
その第４要旨は、請求項１〜３を実施するソフトウェアプログラムを備え、且つディスプレイ、スピーカ、マイクロホン、ビデオカメラ、ネットワーク接続インターフェース、メモリ、記憶装置、演算装置とから成り、ネットワーク上で、複数台で動作する通信端末装置を用いることにより、視聴した参加型番組放送の番組素材を分散記録できることを特徴とするものである。
【００１６】
その第５要旨は、請求項１〜３を実施するソフトウェアプログラムおよび視聴者参加型番組の素材インデックス情報や番組進行表のデータベースを備え、且つネットワーク接続インターフェース、メモリ、記憶装置、演算装置とから成る情報管理サーバを用いることにより、視聴した参加型番組放送の番組素材を分散記録できることを特徴とするものである。
【発明の効果】
【００１７】
前述の通り、請求項1記載の発明によれば、視聴者参加型番組の放送時において、ネットワーク上に分散された参加者の映像や放送に使用する素材を番組進行表により選択した受信すると共に、視聴者参加型番組通信装置に分散して記録することで、視聴者が容易に番組を作成・参加でき、かつ再放送時に記録された番組を視聴者の好みに応じて容易に変更できる。
【００１８】
請求項２記載の発明によれば、番組の再放送において、分散された番組素材を番組進行表を用いて、それぞれに最適な場所より受信することで、視聴者の希望に応じた個別の番組を受信できると共に、大量の個別の番組素材へのリクエストが発生した場合に、そのリクエストを、前もって複製した素材を記録している視聴者参加型番組通信装置へ分散することで、負荷の集中を避けることができる。
【００１９】
請求項３記載の発明によれば、番組の視聴の際に番組進行表を用いて、分散された素材を受信すると共に、その複製を作成することで、視聴者の増加に応じて、素材の複製が増加し、素材の収集が容易になると共に、素材の複製に対して素材の保存期限を設置し、保存期限が過ぎた複製を自動消去することで、視聴頻度に応じた素材の複製数を最適に保つことができる。
【発明を実施するための最良の形態】
【００２０】
この発明は、視聴者参加型番組を視聴者が容易に作成し、また容易に番組に参加でき、さらに番組を分散して記録し、視聴者の好みに応じ変更して視聴できる視聴者参加型番組放送システムのアーカイブ方式であり、例えば、世界中の公共の遊戯施設に視聴者参加型通信端末装置を設置することにより、異国間の人々が容易に番組を作成し、お互いに番組放送を行い、分散して記録することが可能となる。
【実施例】
【００２１】
以下この発明の好適な実施例を図面に基づいて説明する。図１は、この発明を実現するためのシステム構成図である。この発明が適用された視聴者が番組を発信可能な双方向放送システムに使用される参加型番組通信装置１４は、中継装置１５によりブロードバンド回線１６を介して通信網１０に接続される。
【００２２】
該通信網１０は、インターネットや広域LANなどの広域ネットワークであり、複数の参加型番組通信装置１４により送受信される情報が交換される。該ブロードバンド回線１６は、該通信網１０に接続する手段としてFTTH回線、DSL回線、無線・有線ケーブル、携帯電話の基地局などがある。また、これらの該ブロードバンド回線１６と該参加型番組通信装置１４を接続するために該中継装置１５が設置され、該中継装置１５には、ルータ・ファイアウオールやモデム・ルータ、LANなどが用いられる。
【００２３】
また該参加型番組通信装置１４には、図２に示すとおり、利用者の映像や音声を入力するためのビデオカメラ３４やマイクロホン３６が接続されているとともに、番組の音声や映像を受信するためのスピーカ３５やＴＶモニタ３３が接続されている。また、これらの該参加型番組通信装置１４の機能を有する携帯電話２０で行うことも可能である。
【００２４】
該参加型番組通信装置１４の使用形態として、該中継装置１５にルータを用いた事業所内利用形態１１ａやモデムを用いた個人宅利用形態１１ｂ、ルータとLANを用いた集合店舗利用形態１１ｃ、携帯電話の基地局と携帯電話を用いた１１ｄなどがあり、それぞれ適切なネットワーク接続方式で利用される。
【００２５】
さらにこの発明の視聴者が番組を発信可能な双方向番組通信システムを実現するため、該通信網１０に該情報管理サーバ１２および該素材サーバ１８が接続されている。
【００２６】
次に該参加型番組通信装置１４の構成を説明する。図２は、視聴者が番組を発信可能な双方向放送システムに使用する参加型番組通信装置の構成を示すブロック図である。該参加型番組通信装置１４は、ＣＰＵ２１、ＲＯＭ２２、ＲＡＭ２３、ＨＤＤ２４、ネットワークインタフェース２５、コネクタ２６を備え、これら機器にＴＶモニタ３３を有する映像出力部２７、ビデオカメラ３４を有するビデオキャプチャ２８、スピーカ３５を有する音声出力部２９、音楽を演奏する音源部３０、マイクロホン３６を有する音声入力部３１、リモコン３７からの制御信号により各種の情報入力や選択操作をするリモコン入力部３２を備える。
【００２７】
図２の該ネットワークインタフェース２５は、該コネクタ２６により図１に示す該中継装置１５に接続され、該ブロードバンド回線１６を介して該ビデオカメラ３４や該マイクロホン３６より入力された利用者の映像や音声を該通信網１０に送出すると共に、映像・音声信号を受信し、該映像出力部２７を介して接続された該TVモニタ３３および該音声出力部２９を介して接続された該スピーカ３５に出力する。
【００２８】
該ＨＤＤ２４は、該ＣＰＵ２１の動作を指定するプログラムを格納するほかに、演奏に必要な音楽データを格納し、番組参加中の視聴者の映像を素材として記録する機能を有する。
【００２９】
また該ＣＰＵ２１は、該ネットワークインタフェース２５よりの信号を解釈し、必要に応じて該ＨＤＤ２４より音楽データを取り出し、該音源部３０により音楽を再生し、該音声出力部２９を介して該スピーカ３５により音楽を再生する。
【００３０】
次に該参加型番組通信装置１４を使用した番組の構成例を説明する。
図３は、該参加型番組通信装置１４を用いた参加型番組のＴＶモニタ３３に表示される画面１００である。該画面１００では、一例として視聴者参加型カラオケ番組の進行状態を示しており、歌唱中の番組参加者の映像画面１０１、歌唱を支援するための歌詞画面１０３、歌唱の雰囲気を作るための背景画面１０２で構成されている。また、歌唱待ちの参加者映像１０５および番組の進行を管理する番組発信者との会話手段１０６も用意されている。
【００３１】
視聴者参加型番組が開始後、番組の視聴者が番組への参加（本実施例ではカラオケの歌唱への参加）を希望する場合は、画面上に表示される番組参加登録手段１０７であるアイコンを選択する。
番組への参加が認められると、番組への参加を希望する視聴者の映像が、参加待ちの歌唱者映像画面１０５に表示される。番組の参加が認められた視聴者は、番組発信者との会話手段１０６のアイコンを選択することで、番組参加前においても、番組発信者との会話が可能となる。
【００３２】
また、これらの各画面は、個別の素材映像として独立しているため、各番組視聴者の好みにより視聴者毎に個別に画面サイズが変更可能であり、興味の高い画面を拡大して視聴することが可能となる。
【００３３】
続いて図４において、該参加型番組通信装置１４を用いて、すでに放送済みの視聴者参加型番組を視聴する場合の画面構成を説明する。
【００３４】
図４の画面は、一例として図３において説明した視聴者参加型カラオケ番組が終了後、その番組を記録した映像を用いた再放送を視聴する画面である。
該ＴＶモニタ３３に表示される該画面１００には、番組の進行結果に従い、番組参加者の歌唱していた歌唱映像画面１１１、その際に表示されていた歌唱を支援するための歌詞画面１１３、歌唱の雰囲気を作るために表示されていた背景画面１１２で構成されている。その歌唱の際に歌唱待ちであった参加者映像画面１１５により構成される。
【００３５】
これらの画面は、図３で説明した参加型番組放送の際に、記録された映像群を再生したものであり、参加型番組としては終了しているため番組への参加はできない。なお再放送を視聴する各視聴者は、視聴者毎に個別に画面サイズが変更可能であり、興味のある画面を拡大して視聴することが可能である。
【００３６】
次に図５により、視聴者参加型番組およびその番組終了後の番組再放送を実現するためのシステムを構成する装置の概略の機能とその装置間において交換される情報について説明する。
【００３７】
視聴者参加型番組を実現するために該通信網１０には、番組進行表２００を作成して番組の発信を行う該参加型番組通信装置１４ａ、番組を視聴するとともに番組に参加する該参加型番組通信装置１４ｂ、進行中の番組の視聴をするが番組に参加しない該参加型番組通信装置１４ｃ、番組の素材は提供するが番組の視聴をしない該素材サーバ１８が接続される
【００３８】
該情報管理サーバ１２は、ＣＰＵ、ＲＯＭ、ＲＡＭ、ＨＤＤ、ネットワークインタフェースにより構成されるサーバであり、該参加型番組通信装置１４から登録される該番組進行表２００を記憶する番組ＤＢ２０１を有する。また、該番組進行表２００の作成時や番組受信の際に使用する番組素材の所在やその素材の概要である素材インデックスの一覧を記憶する素材インデックスリストＤＢ２０３と番組の視聴者（番組参加者）の情報を記憶する参加者リストＤＢ２０４により構成される。
【００３９】
該素材サーバ１８は、ＣＰＵ、ＲＯＭ、ＲＡＭ、ＨＤＤ、ネットワークインタフェースにより構成されるサーバであり、該参加型番組通信装置１４が番組を構成する際に使用する映像音声素材を記憶する素材ＤＢ２０６dとその素材の名称や概要を示す素材インデックス情報を記憶する素材インデックスＤＢ２０７dを有する。該素材サーバ１８は、映像音声素材が素材ＤＢ２０６dに登録された際に、素材インデックス情報を素材インデックスＤＢ２０７dに登録すると共に、該通信網１０を介して該情報管理サーバ１２に素材インデックス情報を伝える。該情報管理サーバ１２は、該素材サーバ１８の識別情報と共に受信した素材インデックス情報を素材インデックスリストＤＢ２０３に登録する。
【００４０】
該参加型番組通信装置１４は、番組の発信者や受信者が利用する装置であり、番組発信者は利用する該参加型番組通信装置１４ａを用いて、番組の進行を制御する番組進行表２００ａを作成し、該通信網１０を介して該情報管理サーバ１２の番組DB２０１に番組進行表２００として登録する。
【００４１】
また番組受信者は該参加型番組通信装置１４ｂを用いて、該情報管理サーバ１２の番組ＤＢ２０１より、該通信網１０を介して番組進行表２００を入手し、独自の番組進行表２００ｂとして保存する。該情報管理サーバ１２は、該番組進行表２００を番組の受信を希望する該参加型番組通信装置１４ｂに配布する際に、該参加型番組通信装置１４ｂの認識情報を参加者リストＤＢに記録する。それぞれの参加型番組通信装置は、番組の開始において、それぞれに保存されている該番組進行表２００に従い番組を構成・進行する。
【００４２】
ここで該番組進行表２００は、図６に示す要素により構成されており、番組の進行を示す時刻情報３０１、該当する時刻に使用する素材名３０２、その素材に対する操作３０３、その用途３０４、映像画面の場合の表示位置３０５および画面のサイズ３０６の情報を時系列のイベント順にならべたデータ構成であり、これにより番組の構成と進行が制御される。
番組の参加希望者Ａが、視聴中の参加型番組通信装置１４の番組参加登録手段１０７の操作により番組の参加を希望すると、番組進行表２００の素材名３０２で示されるライブ映像（参加者Ａ）３０７の行（割り付け前は未参加と表示されていた行）に割付られると共に、情報管理サーバ１２にその情報が通知される。情報管理サーバ１２は、他の参加者との競合を確認の上、参加者リストＤＢ２０４に登録された番組視聴中の参加型番組通信装置１４に参加者Ａ追加の情報を通知する。番組視聴中の参加型番組通信装置１４は、情報管理サーバ１２より参加者Ａ追加の情報を受け取り、自らの番組進行表２００の該当する行に参加者Ａを追加する。以上の動作により番組の参加希望者Ａの映像が、参加待ちの歌唱者映像画面１０５に表示される。番組進行表２００において、参加者が決まっていない素材名３０２については、ライブ映像（未参加）３０８として表示され、番組参加希望者による番組参加登録手段１０７の操作を待つ。
【００４３】
また該参加型番組通信装置１４は素材ＤＢ２０６を有し、番組参加時に通信網１０に送信した映像音声を素材として記録する機能を有する。記録された映像音声に関する素材インデックス情報（番組名、素材名、時刻、参加型番組通信装置番号、作成日時、使用頻度など）は、素材インデックスＤＢ２０７に記録されると共に、該情報管理サーバ１２に送られる。該情報管理サーバ１２は、該参加型番組通信装置１４から送られた素材インデックス情報を、参加型番組通信装置の識別情報と共に、該素材インデックスリストＤＢ２０３に記録する。
【００４４】
次に図９を用いて参加型番組参加者が使用する該参加型番組通信装置１４ｂとその参加映像を視聴する該参加型番組通信装置１４ｃにおける素材の流れについて説明する。
【００４５】
番組の構成・進行において、番組に参加している該参加型番組通信装置１４ｂは、番組進行表解析手段６１により番組進行表２００ｂを解析し、１曲目の歌唱開始３０７を検出すると、ビデオカメラ３４とマイクロホン３６を用いて参加者の映像と音声を取り込み、通信網１０に送出すると共に、番組を構成する素材として該素材ＤＢ２０６ｂに記憶する。
【００４６】
また同時に、該素材インデックスDB２０７ｂにその素材に関するインデックス情報（番組名、素材名、時刻、参加型番組通信装置番号、など）を記録する。さらに素材の蓄積が完了すると、素材インデックスＤＢ２０７ｂに登録されたインデックス情報を該情報管理サーバ１２に送信する。
【００４７】
番組を視聴する該参加型番組通信装置１４ｃは、番組進行表解析手段６１を用いて番組進行表２００ｃを解析し、参加映像を発信する該参加型番組通信装置１４ｂからの素材を受信し、該ＴＶモニタ３３および該スピーカ３５に出力すると共に、該素材ＤＢ２０６ｃに記録する。また同時に該素材インデックスDB２０７ｃにその素材に関するインデックス情報（番組名、素材名、時刻、参加型番組通信装置番号、など）を記録する。さらに素材の蓄積が完了すると、該素材インデックスＤＢ２０７ｃに登録されたインデックス情報を該情報管理サーバ１２に送信する。
【００４８】
次に図１０において、番組終了後の番組再放送を実現するための素材の流れについて説明する。番組終了後の該視聴者参加型番組の再放送を希望する視聴者が使用する該参加型番組通信装置１４ｄは、番組が終了した該番組進行表２００を該情報管理サーバ１２より入手し、自らの該番組進行表２００ｄとして保存する。該番組進行表解析手段６１により、該番組進行表２００ｄより番組作成に必要な素材を検出し、その素材を記録している該参加型番組通信装置１４ｂに、記録された素材の送出を要求する。
【００４９】
図９では、該参加型番組通信装置１４ｂが何らかの事情で応答できない場合を示しており、この場合は該参加型番組通信装置１４ｄは該情報管理サーバ１２に問い合わせを行う。該情報管理サーバ１２は、該素材情報管理手段８６により、該素材インデックスリストＤＢ２０３を検索し、同一の素材を記憶する該参加型番組通信装置１４ｃの存在を回答する。該参加型番組通信装置１４ｄは、該情報管理サーバ１２からの回答を受け、該参加型番組通信装置１４ｃに素材の送出を要求し、受信した素材を該ＴＶモニタ２０６および該スピーカ２０６により再生する。
【００５０】
以上の動作により、参加型番組通信装置による視聴者参加型番組の放送と、放送終了後の再放送が実現する。
【００５１】
次に、該参加型番組通信装置１４の番組構成機能を図７の機能ブロック線図を用いて説明する。
該参加型番組通信装置１４は、番組進行表受信手段５７を有し、該情報管理サーバ１２より、該番組進行表２００を入手する。該番組進行表解析手段６１は、該番組進行表２００を解析し、該素材選択手段６２により番組の進行に必要な素材を選択する。必要な素材は該素材請求手段５８を用いて、素材を有する該参加型番組通信装置１４もしくは該素材サーバ１８に素材の送出を請求する。また他の該参加型番組通信装置１４の該素材請求手段５８からの請求に応答するための該素材請求応答手段５９を有する。
【００５２】
素材を記録する該参加型番組通信装置１４が応答しない場合は、問い合わせ手段５５により、該情報管理サーバ１２に代替の素材の場所の問い合わせを行い、その結果として回答された装置についての認識情報に基づき、該素材請求手段５８を用いて素材の請求を行う。該参加型番組通信装置１４が応答しない例として、他の複数の該参加型番組通信装置１４からの請求が集中する場合や何らかのトラブルで該参加型番組通信装置１４が稼動していない状態が挙げられる。
【００５３】
該素材請求手段５８の応答に続けて受信される素材は、該素材受信手段６７により受信され、該映像出力手段６６および音声出力手段６５により、映像音声として出力される。出力に際して、番組進行表解析手段６１は該番組進行表２００を解析し、操作３０３、位置３０５、サイズ３０６を抽出し、該番組映像音声構成手段６８を用いて、適切な位置やタイミングで出力する。
なお出力に際して、構成変更手段７１を用いて、番組映像音声構成手段６８を制御することで、視聴者の好みに応じた表示位置や画面サイズでの表示が可能である。
構成変更手段７１の具体例の一例として、一般のＰＣで用いられるマウスカーソル（本例ではリモコン３７に搭載）を用いて表示画面を指定し、クリック・ドラッグ操作による画面位置の変更や拡大・縮小を行うことが考えられる。
【００５４】
一方、素材を請求された場合で、参加型番組が放送中である場合は、素材請求応答手段５９の応答に続き、映像入力手段７２及び音声入力手段６９で入力した映像音声を素材送信手段７０を用いて、請求元の該参加型番組通信装置１４に送るとともに、素材記憶手段７３を用いて素材ＤＢ２０６に記録する。
【００５５】
参加型番組の放送が終了している場合は、該素材記録手段７３により該素材ＤＢ２０６から、該参加型番組放送時に記録した素材を請求元の該参加型番組通信装置に送る。
【００５６】
以上の機能により、該参加型番組通信装置１４は、参加型番組の放送時および参加型番組終了後の再放送における番組構成が可能となる。
【００５７】
図８は、該参加型番組通信装置１４が、番組の構成・進行に必要な素材を探索するための問い合わせを行う場合における該情報管理サーバ１２側の機能ブロック線図である。
【００５８】
該情報管理サーバ１２は、該通信手段８９を介して、該参加型番組通信装置１４よりの問い合わせを該問い合わせ受信手段８３により受信すると、該素材情報管理手段８６により、該素材インデックスリストＤＢ２０３を検索し、代替素材の有無を判断する。
【００５９】
代替素材が複数存在する場合は、最短ネットワーク距離算出手段により、問い合わせを行った該参加型番組通信装置１４に最も近く、代替素材を記録する該参加型番組通信装置１４を決定し、該素材場所指定手段８５により、問い合わせを行った該参加型番組通信装置１４に該当する素材インデックス情報を通知する。
【００６０】
該情報管理サーバ１２は、常に該参加型番組通信装置１４からの素材インデックス情報を該通信ネットワーク手段８９を介して、該素材インデックス受信手段８８により受信し、該素材インデックス登録手段８７により、素材インデックスリストDB２０３に記録する。
【００６１】
受信する素材インデックス情報には、該通信網１０に分散配置された該参加型番組通信装置１４や該素材サーバ１８の該素材DB２０６において新たに登録された素材情報や削除された素材情報を含み、該素材インデックスリストＤＢ２０３には、最新の通信網上の元素材および代替素材を含めた素材マップ情報として記録される。
【００６２】
図１１は、問い合わせを受信する該情報管理サーバ１２の動作の詳細を示すフローチャートである。
まずステップＳ０１（以下、ステップを省略する）にて、該参加型番組通信装置１４からの問い合わせの有無を確認し、問い合わせが無い（Ｓ０１の判断が否定された）場合は、処理を終了するが、問い合わせがあった場合は、Ｓ０２において問い合わせ情報に含まれる素材インデックス情報を用いて、素材インデックスリストＤＢ２０３を検索し、該当する代替素材インデックス情報を抽出する。
【００６３】
Ｓ０３において、代替素材インデックス情報数を判断し、存在しない（Ｓ０３の判断が否定された）場合は、Ｓ０８にて問い合わせを行った該参加型番組通信装置１４に代替素材が存在しない事を通知する。この情報を受信した該参加型番組通信装置１４は、情報数が存在しないため番組の再生ができないと判断し、番組を終了する。
【００６４】
Ｓ０３において、代替素材インデックス数が０でない場合は、Ｓ０４により代替素材インデックス数が１か否かを判断し、１の場合は、Ｓ０７により、問い合わせを行った該参加型番組通信装置１４に該当する代替素材のインデックス情報を通知する。この情報を受信した該参加型番組通信装置は、代替素材インデックス情報より、その素材を記録する該参加型番組通信装置１４に素材を要求し、受信した素材により番組を構成する。
【００６５】
Ｓ０４において代替素材インデックス数が２以上の場合は、Ｓ０５において、抽出した各々の代替素材のインデックス情報により、それらの素材を記録する各々の該参加型番組通信装置１４と、問い合わせを行った該参加型番組通信装置との各々のネットワーク的距離を算出する。Ｓ０６において、算出されたネットワーク的距離の最も短い代替素材を決定する。
【００６６】
Ｓ０７により、問い合わせを行った該参加型番組通信装置１４にS06で決定された代替素材のインデックス情報を通知する。この情報を受信した該参加型番組通信装置１４は、代替素材インデックス情報より、その素材を記録する該参加型番組通信装置１４に素材を要求し、受信した素材により番組を構成する。
【００６７】
図１２は、該参加型番組通信装置１４が登録した素材を削除する詳細のフローチャートである。該参加型番組通信装置１４は、参加型番組への参加時において、使用された参加者の映像音声を素材ＤＢ２０６に元素材として保存する。また番組の受信において受信した映像音声を代替素材（複製）として、素材ＤＢ２０６に保存する。
【００６８】
この保存動作により、多くの視聴者が番組の参加および視聴をすることにより、代替素材が多く蓄積されるため、新たに番組の視聴をする該参加型番組通信装置１４においては、ネットワーク的に最も近くの素材を使用して番組構成が可能である。しかし一方で、大量の代替素材の発生により、各々の該参加型番組通信装置１４に蓄積される素材情報が増大し、素材ＤＢ２０６の容量を圧迫する。図１２に示すフローチャートにより、一旦蓄積された素材を削除する手順について説明する。
【００６９】
まずＳ２１により、該参加型番組通信装置１４の素材インデックスＤＢを検索し、Ｓ２２により代替素材の有無を判断する。Ｓ２２の判断が否定され、該代替素材が無い場合は、このルーチンは終了するが、代替素材がある場合は、Ｓ２３により、該代替素材の送信履歴を確認する。
【００７０】
該代替素材の送信履歴は、他の該参加型番組通信装置や自らの該参加型番組通信装置により、該当する該代替素材が使われた最近の日時や頻度を示しており、Ｓ２４の判断により、日時および頻度を基にした保存期間を延長しているか否かが判断される。
【００７１】
Ｓ２４により、保存期間内であることが判断された場合は、このルーチンは終了するが、保存期間を経過した場合は、Ｓ２５により、該当する該代替素材を該素材DB２０６より消去する。
【００７２】
また、該当する素材のインデックス情報を該素材インデックス情報ＤＢ２０７から削除する。続いて、Ｓ２６により、該情報管理サーバ１２に該代替素材を消去したことを示す消去情報を通知する。該消去情報を受信した該情報管理サーバ１２は、該素材インデックスリストＤＢ２０３より、該当する素材インデックス情報を削除する。
【００７３】
以上の動作により、該通信網１０に接続された複数の該参加型番組通信装置１４に記録される該代替素材は適切な値に保たれる。
【００７４】
以上、該視聴者参加型番組通信装置を用いた視聴者映像を含む番組素材を分散記録することにより番組の作成、放送、再放送を容易に行うことが可能なシステムの実施例を詳細に説明した。本システムは、該視聴者参加型番組のみでなく、複数の素材で構成され、番組の放送と受信を繰り返す放送システムにおいても、利用が可能である。
【図面の簡単な説明】
【００７５】
【図１】は、この発明に係る視聴者が番組を作成発信可能な双方向放送システム構成図である。
【図２】は、図１の双方向放送システムに用いられる参加型番組通信装置の構成を示すブロック線図である。
【図３】は、この発明に使用する参加型番組通信装置の視聴者参加型番組受信中の画面の一例である。
【図４】は、この発明に使用する参加型番組通信装置の視聴者参加型番組の再放送受信時の画面の一例である。
【図５】は、この発明におけるシステムを構成する装置の概略の機能と使用されるデータベースの説明図である。
【図６】は、この発明に使用する番組進行表の構造の一例である。
【図７】は、この発明に使用する参加型番組通信装置の番組構成機能の機能ブロック線図である。
【図８】は、この発明に使用する情報管理サーバの問い合わせ応答機能の機能ブロック線図である。
【図９】は、この発明のシステムを構成する装置の概略の機能と視聴者参加型番組放送時の素材の流れの説明図である。
【図１０】は、この発明のシステムを構成する装置の概略の機能と視聴者参加型番組再放送時の素材の流れの説明図である。
【図１１】は、この発明に使用する情報管理サーバの代替素材の問い合わせに応答する機能のフローチャートである。
【図１２】は、この発明に使用する参加型番組通信装置が登録した素材を削除する機能のフローチャートである。
【符号の説明】
【００７６】
１０      通信網
１２      情報管理サーバ
１４      参加型番組通信装置網
１５      中継装置
１６      ブロードバンド回線
２０      携帯電話
【図１】
2005286409.tif 000003
【図２】
2005286409.tif 000004
【図３】
2005286409.tif 000005
【図４】
2005286409.tif 000006
【図５】
2005286409.tif 000007
【図６】
2005286409.tif 000008
【図７】
2005286409.tif 000009
【図８】
2005286409.tif 000010
【図９】
2005286409.tif 000011
【図１０】
2005286409.tif 000012
【図１１】
2005286409.tif 000013
【図１２】
2005286409.tif 000014